(57)【特許請求の範囲】
【請求項１】
雄部材とこの雄部材の一部を付勢手段の付勢に抗した押し込み操作可能に納める雌部材とを有し、前記雄部材の所定の押し込み位置において前記雄部材及び前記雌部材の側部に形成された紐の通し孔を整合させるように構成されたコードロックであって、
前記雌部材は、軟質の外側部分と、前記外側部分よりも硬質の内側部分とから構成されており、
前記内側部分は、前記雌部材の前記側部の一部となる側部構成片を、前記雄部材の中心軸を巡る向きに間隔を開けて二以上備えると共に、
前記側部構成片に、前記雌部材の前記通し孔の一部となる貫通部と、前記貫通部よりも前記雄部材の押し込み手前側において前記外側部分に形成された抜け止め部に当接される当接部とを形成させてなる、コードロック。
【請求項２】
雄部材とこの雄部材の一部を付勢手段の付勢に抗した押し込み操作可能に納める雌部材とを有し、前記雄部材の所定の押し込み位置において前記雄部材及び前記雌部材の側部に形成された紐の通し孔を整合させるように構成されたコードロックであって、
前記雌部材は、熱可塑性の軟質の合成樹脂よりなる外側部分と、前記外側部分よりも硬質で且つ耐熱性のある合成樹脂よりなる内側部分とから構成されており、
前記内側部分は、前記雌部材の前記側部の一部となる側部構成片を、前記雄部材の中心軸を巡る向きに間隔を開けて二以上備えると共に、
前記側部構成片に、前記雌部材の前記通し孔の一部となる貫通部と、前記貫通部よりも前記雄部材の押し込み手前側において前記外側部分に形成された抜け止め部に当接される当接部とを形成させてなる、コードロック。
【請求項３】
前記外側部分の内側に、前記雄部材の中心軸を巡る向きの前記側部構成片の移動を阻止するズレ止め部を形成させてなる、請求項１又は請求項２に記載のコードロック。
【請求項４】
前記ズレ止め部を、前記雌部材の前記通し孔を挟んだ両側にそれぞれ形成された、前記雄部材の押し込み方向に沿った段部としてなる、請求項３に記載のコードロック。
【請求項５】
前記内側部分は、前記側部構成片を、前記付勢手段に接する基部から前記付勢手段の付勢先側に延出するように備えており、
前記内側部分における前記当接部と前記基部との間に易破断部を形成させてなる、請求項１〜請求項４のいずれか１項に記載のコードロック。
【請求項６】
前記雄部材を、前記外側部分よりも硬質で且つ耐熱性のある合成樹脂から構成させてなる、請求項１〜請求項５のいずれか１項に記載のコードロック。
【発明の詳細な説明】
【技術分野】
【０００１】
この発明は、紐の任意の位置に留め付け可能であり、また、この留め付け状態を雌部材内に雄部材を付勢に抗して押し込み操作することで解くように構成されたコードロックの改良に関する。
【背景技術】
【０００２】
ボタン（雄部材）とこのボタンの一部をバネの付勢に抗した押し込み操作可能に納めるストッパーケース（雌部材）とを有し、このボタンの所定の押し込み位置においてストッパーケースに形成されたコード貫通穴とボタンに形成されたコード（紐）の通し孔とを整合させるように構成されたコードストッパー（コードロック）がある。（特許文献１参照）
【０００３】
特許文献１においては、前記コードストッパーを構成するボタンとストッパーケースの双方を軟質の材料とすることへの言及がある（特許文献１の段落番号００１６参照）。このようにした場合、コードストッパーを例えば踏みつけるなどしても破損を可及的に生じさせないようにすることができる。しかし、その反面、コードストッパーの剛性が不足する。また、コードストッパーを熱可塑性の軟質の合成樹脂から構成した場合、コードへの留め付けを解いてコードに対するコードストッパーの留め付け位置を調整する操作、つまり、コードに沿ってコードストッパーを移動又は相対的に移動させる操作をしたときに、コードとコードストッパーとの摺接箇所において生じる摩擦熱によって溶融を生じ、コードストッパーの喪失を招来する。
【先行技術文献】
【特許文献】
【０００４】
【特許文献１】実用新案登録第３０６９４１１号公報
【発明の概要】
【発明が解決しようとする課題】
【０００５】
この発明が解決しようとする主たる問題点は、この種のコードロックにおいて、これに非常の外力が作用された場合でもその機能を損なう破損が生じないようにしながら、これを構成する雌部材に所要の剛性を、さらには、所要の耐熱性を適切に付与できるようにする点にある。
【課題を解決するための手段】
【０００６】
前記課題を達成するために、この発明にあっては、第一の観点から、コードロックを、雄部材とこの雄部材の一部を付勢手段の付勢に抗した押し込み操作可能に納める雌部材とを有し、前記雄部材の所定の押し込み位置において前記雄部材及び前記雌部材の側部に形成された紐の通し孔を整合させるように構成されたコードロックであって、
前記雌部材は、軟質の外側部分と、前記外側部分よりも硬質の内側部分とから構成されており、
前記内側部分は、前記雌部材の前記側部の一部となる側部構成片を、前記雄部材の中心軸を巡る向きに間隔を開けて二以上備えると共に、
前記側部構成片に、前記雌部材の前記通し孔の一部となる貫通部と、前記貫通部よりも前記雄部材の押し込み手前側において前記外側部分に形成された抜け止め部に当接される当接部とを形成させてなる、ものとした。
前記雌部材の全体を軟質材料より構成した場合、コードロックに大きな外力（雄部材の押し込み操作に必要な押し込み力を超える大きさの外力、言い換えれば非常の外力）が作用したときに、例えば、コードロックを踏みつけたときなどに、コードロックが破損する事態を充分に防止することが可能となるが、その反面、前記雌部材の剛性が不足する。しかるに、前記雌部材を軟質の外側部分とこれより硬質の内側部分とから構成すれば、雌部材に所要の剛性を付与できる。また、前記構成によれば、コードロックに前記非常の外力が作用したときに、内側部分が破断しても、前記抜け止め部と内側部分の内方に位置される雄部材の外面とにより内側部分を外側部分内の所期の位置に保持し続けて、このような破断が生じてもコードロックの機能が失われることがないようにすることができる。すなわち、このような破断が生じても、雌部材の通し穴の一部を内側部分の貫通部により構成させ続けることができ、紐へのコードロックの留め付けを硬質の内側部分によって確保し続けさせることが可能となる。
【０００７】
また、前記課題を達成するために、この発明にあっては、第二の観点から、コードロックを、雄部材とこの雄部材の一部を付勢手段の付勢に抗した押し込み操作可能に納める雌部材とを有し、前記雄部材の所定の押し込み位置において前記雄部材及び前記雌部材の側部に形成された紐の通し孔を整合させるように構成されたコードロックであって、
前記雌部材は、熱可塑性の軟質の合成樹脂よりなる外側部分と、前記外側部分よりも硬質で且つ耐熱性のある合成樹脂よりなる内側部分とから構成されており、
前記内側部分は、前記雌部材の前記側部の一部となる側部構成片を、前記雄部材の中心軸を巡る向きに間隔を開けて二以上備えると共に、
前記側部構成片に、前記雌部材の前記通し孔の一部となる貫通部と、前記貫通部よりも前記雄部材の押し込み手前側において前記外側部分に形成された抜け止め部に当接される当接部とを形成させてなる、ものとした。
【０００８】
前記雌部材の全体を熱可塑性の軟質の合成樹脂より構成した場合、コードロックに大きな外力（雄部材の押し込み操作に必要な押し込み力を超える大きさの外力、言い換えれば非常の外力）が作用したときに、例えば、コードロックを踏みつけたときなどに、コードロックが破損する事態を充分に防止することが可能となるが、その反面、前記雌部材の剛性が不足すると共に、紐への留め付けを解いて紐に対するコードロックの留め付け位置を調整する操作、つまり、紐に沿ってコードロックを移動又は相対的に移動させる操作をしたときに、紐と雌部材との摺接箇所において生じる摩擦熱によって雌部材に溶融を生じさせてしまう。しかるに、前記雌部材を外側部分と内側部分とから構成すれば、雌部材に所要の剛性を付与できると共に、紐が摺接する箇所に所要の耐熱性を付与することができる。また、前記構成によれば、コードロックに前記非常の外力が作用したときに、内側部分が破断しても、前記抜け止め部と内側部分の内方に位置される雄部材の外面とにより内側部分を外側部分内の所期の位置に保持し続けて、このような破断が生じてもコードロックの機能が失われることがないようにすることができる。すなわち、このような破断が生じても、雌部材の通し穴の一部を内側部分の貫通部により構成させ続けることができ、紐へのコードロックの留め付けを硬質で且つ耐熱性のある内側部分によって確保し続けさせることが可能となる。
【０００９】
さらに、前記外側部分の内側に、前記雄部材の中心軸を巡る向きの前記側部構成片の移動を阻止するズレ止め部を形成させるようにしておくこともある。このようにした場合、コードロックに前記非常の外力が作用したときに、内側部分が破断しても、前記抜け止め部と内側部材の内方に位置される雄部材の外面と、前記ズレ止め部の四つの部分によって内側部分を外側部分内の所期の位置に保持し続けることができる。
【００１０】
かかるズレ止め部を、前記雌部材の前記通し孔を挟んだ両側にそれぞれ形成された、前記雄部材の押し込み方向に沿った段部とすることが、この発明の好ましい態様の一つとされる。
【００１１】
また、前記内側部分は、前記側部構成片を、前記付勢手段に接する基部から前記付勢手段の付勢先側に延出するように備えたものとし、前記内側部分における前記当接部と前記基部との間に易破断部を形成させるようにすることが、この発明の好ましい態様の一つとされる。
【００１２】
また、前記雄部材を、前記外側部分よりも硬質で且つ耐熱性のある合成樹脂から構成させることが、この発明の好ましい態様の一つとされる。
【発明の効果】
【００１３】
この発明によれば、コードロックに非常の外力が作用された場合でもその機能を損なう破損が生じないようにしながら、これを構成する雌部材に所要の剛性を、さらには所要の耐熱性を適切に付与できる。
【図面の簡単な説明】
【００１４】
【図１】図１は、この発明の一実施の形態にかかるコードロックの斜視図である。
【図２】図２は、図１と異なる向きから前記コードロックを見て示した斜視図である。
【図３】図３は、図１におけるＡ−Ａ線位置での断面図である。
【図４】図４は、図１におけるＢ−Ｂ線位置での断面図である。
【図５】図５は、紐に留め付いた状態の前記コードロックの斜視図であり、紐を想像線で示している。
【図６】図６は、図５におけるＣ−Ｃ線位置での断面図である。
【図７】図７は、図５におけるＤ−Ｄ線位置での断面図である。
【図８】図８は、前記コードロックを構成する雌部材の外側部分の斜視図である。
【図９】図９は、図８におけるＥ−Ｅ線位置での断面図である。
【図１０】図１０は、図８におけるＦ−Ｆ線位置での断面図である。
【図１１】図１１は、前記雌部材を構成する内側雄部材の斜視図である。
【図１２】図１２は、図１１と異なる向きから前記内側部分を見て示した斜視図である。
【図１３】図１３は、図１１におけるＧ−Ｇ線位置での断面図である。
【図１４】図１４は、図１１におけるＨ−Ｈ線位置での断面図である。
【図１５】図１５は、前記コードロックを構成する雄部材の斜視図である。
【図１６】図１６は、図１５と異なる向きから前記雄部材を見て示した斜視図である。
【図１７】図１７は、前記雌部材を構成する内側雄部材の破断の態様を示した斜視図である。
【発明を実施するための形態】
【００１５】
以下、図１〜図１７に基づいて、この発明の典型的な実施の形態について、説明する。この実施の形態にかかるコードロックは、紐Ｃの任意の位置に留め付け可能であり、また、この留め付け状態を雌部材Ｆ内に雄部材Ｍを付勢に抗して押し込み操作することで解くように構成されたものである。
【００１６】
かかる紐Ｃは、このようにコードロックの留め付けが可能なものであれば、その形状（丸紐、平紐など）、材質や構造（編み紐、ゴム紐、合成樹脂製の紐など）は問われない。かかるコードロックは、典型的には、こうした紐Ｃにより絞られたり、引き締められたりする箇所を備えた各種の物品におけるこの紐Ｃに留め付けられて、その留め付け位置を変えることでこのような箇所を絞ったり、緩めたりするように用いられる。
【００１７】
かかるコードロックＲは、雄部材Ｍと、この雄部材Ｍの一部を付勢手段Ｓの付勢に抗した押し込み操作可能に納める雌部材Ｆとを有し、この雄部材Ｍの所定の押し込み位置においてこの雄部材Ｍ及び雌部材Ｆの側部１、５に形成された紐Ｃの通し孔２、６を整合させるように構成される。このように通し孔２、６を整合させた状態でコードロックに紐Ｃが通され、あるいは、既に通された紐Ｃに対するコードロックの留め付けが解かれる。そして、雄部材Ｍに対する前記押し込み操作を止めて前記付勢により雄部材Ｍを押し込み操作前の位置に向けて移動させることで不整合となる雄部材Ｍの通し孔２、６と雌部材Ｆの通し孔２、６とにより（図５〜図７参照）通された紐Ｃを挟み付けてこの紐Ｃにコードロックが留め付く。
【００１８】
前記雌部材Ｆは、軟質の外側部分３と、前記外側部分３よりも硬質の内側部分４とから構成されている。
前記外側部分３は、典型的には、コードロックに大きな外力が作用された場合でも破損し難い弾性を備えた合成樹脂、または、ゴムから構成され、例えば、シリコン、ウレタンなどを用いることができる。
前記内側部分４は、典型的には、エンジニアプラスチック（ポリアミド、ポリアセタール、ポリカーボネートなど）、汎用プラスチック（ポリプロピレン、ＡＢＳ樹脂など）、金属（アルミニウム系、ステンレス系、チタン系など）を用いることができる。
【００１９】
前記雌部材Ｆの全体を軟質の合成樹脂、さらには、熱可塑性の軟質の合成樹脂より構成した場合、コードロックに大きな外力が作用したときに、例えば、コードロックを踏みつけたときなどに、コードロックが破損する事態を充分に防止することが可能となるが、その反面、前記雌部材Ｆの剛性が不足すると共に、紐Ｃへの留め付けを解いて紐Ｃに対するコードロックの留め付け位置を調整する操作、つまり、紐Ｃに沿ってコードロックを移動又は相対的に移動させる操作をしたときに、紐Ｃと雌部材Ｆとの摺接箇所において生じる摩擦熱によって雌部材Ｆに溶融を生じさせてしまう。前記雌部材Ｆを軟質の合成樹脂よりなる外側部分３と、この外側部分３より硬質さらには硬質で耐熱性のある合成樹脂の内側部分４とから構成すれば、雌部材Ｆに所要の剛性を付与できると共に、紐Ｃが摺接する箇所に所要の耐熱性を付与することができる。
【００２０】
前記外側部分３は、実質的に円筒状をなす筒状主体３０を有している。筒状主体３０は、筒一端３０ａを開放させ、筒他端３０ｂを閉塞させており、この筒一端３０ａと筒他端３０ｂとの間が前記雌部材Ｆの側部１となる。筒状主体３０には、その筒軸を挟んだ対向位置にそれぞれ、前記通し孔２の一部となる窓穴３０ｃが形成されている。
【００２１】
図示の例では、筒状主体３０の筒他端３０ｂは、筒状主体３０の外径よりも外径を大きくする円板状部３１の一面３１ｂの中央に一体化されている。すなわち、この円板状部３１によって筒状主体３０の筒他端３０ｂは閉塞されている。図示の例では、円板状部３１の他面３１ｃの中央には、円形の隆起部３１ａが形成されている。図示の例では、かかる円板状部３１を、コードロックの利用される物品を構成する生地Ｐに対し、溶着あるいは縫着することで、かかる物品にコードロックを備え付けることができるようになっている。特に、図示の例では、図６及び図７に一例を示すように、前記生地Ｐに設けた穴Ｐａに前記隆起部３１ａを納めるようにして前記生地Ｐへのコードロックの備え付けができるようになっており、例えば、前記生地Ｐより内方にコードロックの前記隆起部３１ａ以外の箇所を納めながら、前記生地Ｍの外面に露呈した前記隆起部３１ａによって前記物品の外側から紐Ｃに対する留め付けを解く操作を容易に行えるようになっている。
【００２２】
また、図示の例では、前記外側部分３の内側であって、前記筒状主体３０の筒軸を挟んだ両側にそれぞれ、前記筒一端３０ａから前記筒他端３０ｂに亘る幅広溝状の凹所３０ｄが形成されている。そして、二箇所の前記窓穴３０ｃ、３０ｃはそれぞれ、この凹所３０ｄ内に形成されている。これによって、この実施の形態にあっては、前記外側部分３の内側に、前記雄部材Ｍの押し込み方向（図３における上下方向／図３においてこの押し込みの押し込み手前側を符号ｂｗで、押し込み先側を符号ｆｗで、それぞれ示す。）に沿ったこの雄部材Ｍの中心軸ｘを巡る向きの後述の側部構成片４０の移動を阻止するズレ止め部３０ｆを形成させている。より具体的には、この実施の形態にあっては、かかるズレ止め部３０ｆは、前記雌部材Ｆの前記通し孔２の一部となる前記窓穴３０ｃを挟んだ両側にそれぞれ形成された、前記雄部材Ｍの押し込み方向に沿った段部、つまり、前記凹所３０ｄの底３０ｅとこの凹所３０ｄ外の外側部分３の内周面との間に形成された段差面３０ｇとなっている。
【００２３】
前記内側部分４は、前記雌部材Ｆの前記側部１の一部となる側部構成片４０を、前記雄部材Ｍの中心軸ｘを巡る向きに間隔を開けて二以上備えると共に、二以上の前記側部構成片４０にそれぞれ、前記雌部材Ｆの前記通し孔２の一部となる貫通部４０ａと、前記貫通部４０ａよりも前記雄部材Ｍの押し込み手前側ｂｗにおいて前記外側部分３に形成された抜け止め部３０ｈに当接される当接部４０ｂとを形成させた構成となっている。
【００２４】
かかる構成によれば、コードロックに大きな外力（雄部材Ｍの押し込み操作に必要な押し込み力を超える大きさの外力、言い換えれば非常の外力）が作用したときに、例えば、コードロックを踏みつけたときなどに、内側部分４が破断しても、前記抜け止め部３０ｈと内側部分４の内方に位置される雄部材Ｍの外面とにより内側部分４を外側部分３内の所期の位置に保持し続けて、このような破断が生じてもコードロックの機能が失われることがないようにすることができる。すなわち、このような破断が生じても、雌部材Ｆの通し穴２の一部を内側部分４の貫通部４０ａにより構成させ続けることができ、紐Ｃへのコードロックの留め付けを硬質で且つ耐熱性のある内側部分４によって確保し続けさせることが可能となる。
【００２５】
前記内側部分４の側部構成片４０の形状、数、配置は、雌部材Ｆの形状、通し穴２の数、通し穴２の配置によって適宜変更される。図示の例では、通し穴２は雌部材Ｆの筒軸を挟んだ両側に形成されていることから、前記内側部分４は二つの側部構成片４０、４０を備えた構成となっている。
【００２６】
この実施の形態にあっては、前記内側部分４は、前記側部構成片４０を、前記付勢手段Ｓに接する基部４１から前記付勢手段Ｓによる付勢先側（雄部材Ｍの押し込み手前側ｂｗ）に延出するように備えている。
【００２７】
図示の例では、前記内側部分４は、一対の側部構成片４０、４０の根元間を、前記基部４１によって連接させた態様となっている。基部４１は、二箇所の弧状縁部４１ａ、４１ａと、二箇所の直線状縁部４１ｂ、４１ｂとを備えた板状を呈している。二箇所の弧状縁部４１ａ、４１ａの一方に対し他方は前記基部４１の中心を挟んだ対向位置にあり、また、二箇所の直線状縁部４１ｂ、４１ｂの一方に対し他方は前記基部４１の中心を挟んだ対向位置にある。また、二箇所の弧状縁部４１ａ、４１ａはそれぞれ、前記基部４１の中心側を湾曲内側とするように湾曲している。
【００２８】
前記側部構成片４０は、直線状縁部４１ｂと実質的に同じ幅を備えてこの直線状縁部４１ｂから延出する板状体に前記貫通部４０ａを形成させてなる。前記側部構成片４０は、その根元から前記当接部４０ｂの形成位置に向かうに連れて厚さ寸法を漸増させており、この厚さ寸法は前記当接部４０ｂの形成位置で最大となっている。当接部４０ｂは側部構成片４０の外側に形成されたこの側部構成片４０の延出終端側に向いた段差面となっている。前記貫通部４０ａは、当接部４０ｂの直下から側部構成片４０の根元に至る箇所までの間に亘って形成されており、これにより側部構成片４０は左右一対の脚片４０ｃ、４０ｃの上端上に架設片４０ｄを架け渡した態様となっている。前記基部４１における前記側部構成片４０の延出側（以下、基部４１の表面４１ｃ側と称する。）において、前記弧状縁部４１ａはリブ状突部４１ｄで縁取られており、このリブ状突部４１ｄの端部は前記脚片４０ｃの根元に一体化されている。
【００２９】
内側部分４における一対の側部構成片４０、４０の当接部４０ｂの形成位置間の距離（Ｌ１（図１３参照））は、外側部分３の窓穴３０ｃの形成位置の直上における一対の凹所３０ｄ間の距離（Ｌ２（図９参照））よりやや大きくなっている。また、内側部分４の側部構成片４０の幅（Ｌ３（図１４参照））は外側部分３の凹所３０ｄの幅（Ｌ４（図１０参照））と実質的に等しくなっている。また、内側部分４における当接部４０ｂと基部４１の裏面４１ｅとの間の距離（Ｌ５（図１３参照））は、外側部分３における筒状主体３０の一端側にある窓穴３０ｃの穴縁部と外側部分３の円板状部３１の一面３１ｂとの間の距離（Ｌ６（図９参照））と実質的に等しくなっている。
【００３０】
この実施の形態にあっては、内側部分４は、その基部４１側を先にして、外側部分３の筒状主体３０の筒一端３０ａ側から、一対の側部構成片４０、４０をそれぞれ対応する凹所３０ｄに納める向きで、内側部分４及び外側部分３の双方に弾性変形を生じさせながら筒状主体３０内にはめ込まれるようになっている。内側部分４の基部４１の裏面４１ｅが外側部分３の円板状部３１の一面３１ｂに接するはめ込み位置において、弾性復帰によって当接部４０ｂが窓穴３０ｃに入り込み、筒状主体３０の筒一端３０ａ側にある窓穴３０ｃの穴縁部に当接部４０ｂが当接・係合されるようになっている。すなわち、この実施の形態にあっては、かかる筒状主体３０の筒一端３０ａ側にある窓穴３０ｃの穴縁部が前記抜け止め部３０ｈとして機能するようになっている。
【００３１】
このように組み合わされる内側部分４と外側部分３とにより構成される通し穴２は、雄部材Ｍの押し込み手前側ｂｗに位置される箇所を硬質で耐熱性のある内側部分４の貫通部４０ａにより構成させることから、雌部材Ｆは紐Ｃに対し所望の留め付け力を発揮する。
【００３２】
また、この実施の形態にあっては、前記側部構成片４０を前記凹所３０ｄに納めた状態で外側部分３に内側部分４は組み合わされるようになっていることから、コードロックに前記非常の外力が作用したときに、内側部分４が破断しても、前記抜け止め部３０ｈと、内側部分４の内方に位置される雄部材Ｍの外面と、二箇所の前記ズレ止め部３０ｆ、３０ｆの四つの部分によって内側部分４を外側部分３内の所期の位置に保持し続けて、このような破断が生じてもコードロックの機能が失われることがないようにしている。
【００３３】
また、この実施の形態にあっては、前記内側部分４における前記当接部４０ｂと前記基部４１との間に易破断部４２を形成させている。これにより、この実施の形態にあっては、前記のような非常の外力が生じたときに、雌部材Ｆが紐Ｃに対して留め付く箇所（雌部材Ｆの通し穴２における雄部材Ｍの押し込み手前側ｂｗに位置される箇所）においてできるだけ内側部分４が破断しないようにしている。図示の例では、内側部分４は、前記一対の脚片４０ｃと前記リブ状突部４１ｄとの一体化している箇所で最も断面積を小さくしており、この箇所が前記易破断部４２として機能するようになっている。
【００３４】
これにより、この実施の形態にあっては、前記非常の外力の作用により、内側部分４の側部構成片４０が前記易破断部４２において破断した場合（図１７（ｂ））、前記易破断部４２と当接部４０ｂとの間で破断した場合（図１７（ａ））、前記基部４１において破断した場合（図１７（ｃ））のいずれの場合であっても、内側部分４を外側部分３内の所期の位置に保持し続けて、このような破断が生じてもコードロックの機能が失われることがないようにしている。
【００３５】
雄部材Ｍは、前記雌部材Ｆの筒状主体３０内に出没可能に納まる形状を持ち、付勢手段Ｓに接する内面７と、押し込み操作時の押し込み面となる外面８と、両面７、８間に亘る側部５とを備えている。雄部材Ｍにはその中心軸ｘを通ってこの中心軸ｘを挟んだ両側においてそれぞれ開放された通し穴６が形成されている。この通し穴６における雄部材Ｍの押し込み先側ｆｗに位置される穴縁部には、外側に突き出す抜け止め爪９が形成されている。二箇所の抜け止め爪９、９の先端間の距離は、内側部分４の一対の側部構成片４０、４０の貫通部４０ａ上の内面間の距離よりもやや大きくなっている。
【００３６】
この実施の形態にあっては、雄部材Ｍの内面と、雌部材Ｆにおける内側部分４の基部４１の表面４１ｃとの間に付勢手段Ｓを介在させた状態で、しかも、雌部材Ｆの通し穴２に雄部材Ｍの通し穴６を整合可能とする向きで、雄部材Ｍをその内面７側を先にして雌部材Ｆを構成する外側部分３の筒状主体３０の筒一端３０ａ側から雌部材Ｆ内に入れ込むことができるようになっている。この入れ込みは、雌部材Ｆの内面と前記抜け止め爪９との接触による弾性変形により許容される。前記抜け止め爪９が前記内側部分４の貫通部４０ａに入り込み可能な位置まで雌部材Ｆ内に雄部材Ｍが入れ込まれると、弾性復帰により前記貫通部４０ａに抜け止め爪９が入り込み雄部材Ｍは雌部材Ｆ内から抜け出さない状態となる。かかる雄部材Ｍの側部５の外面と雌部材Ｆの内側部分４の側部構成片４０の内面とは摺接されるようになっている。
【００３７】
また、この実施の形態にあって、雄部材Ｍは、前記外側部分３よりも硬質で且つ耐熱性のある合成樹脂から構成されている。これにより、この実施の形態にあっては、雄部材Ｍに所要の剛性と所要の耐熱性を付与できると共に、雄部材Ｍを雌部材Ｆに摺動抵抗少なく摺接可能としている。
【００３８】
なお、図中符号１０で示されるのは、雄部材Ｍに設けた肉抜き穴である。
【００３９】
図示の例では、付勢手段Ｓは、圧縮コイルバネＳａにより構成されている。雄部材Ｍの内面７の中央には、かかるバネＳａの一端内に納まる突部７ａが形成されている。かかるバネＳａの他端は雌部材Ｆの内側部分４の基部４１の表面４１ｃに接するようになっている。付勢手段Ｓは、雄部材Ｍに付勢力を作用する構成のものであれば良く、板バネその他の各種バネ、クッション性を備えたプラスチック、ゴムなどから構成しても構わない。
【００４０】
なお、当然のことながら、本発明は以上に説明した実施態様に限定されるものではなく、本発明の目的を達成し得るすべての実施態様を含むものである。
【符号の説明】
【００４１】
Ｃ  紐
Ｍ  雄部材
Ｆ  雌部材
１、５  側部
２、６  通し孔
３  外側部分
３０ｈ  抜け止め部
４  内側部分
４０  側部構成片
４０ａ  貫通部
４０ｂ  当接部
Ｓ  付勢手段
ｂｗ  押し込み手前側
【図１】
0006358995.tif 000002
【図２】
0006358995.tif 000003
【図３】
0006358995.tif 000004
【図４】
0006358995.tif 000005
【図５】
0006358995.tif 000006
【図６】
0006358995.tif 000007
【図７】
0006358995.tif 000008
【図８】
0006358995.tif 000009
【図９】
0006358995.tif 000010
【図１０】
0006358995.tif 000011
【図１１】
0006358995.tif 000012
【図１２】
0006358995.tif 000013
【図１３】
0006358995.tif 000014
【図１４】
0006358995.tif 000015
【図１５】
0006358995.tif 000016
【図１６】
0006358995.tif 000017
【図１７】
0006358995.tif 000018